(57)【要約】【課題】  断面が円形のマストや断面が矩形の角柱、ベランダの格子や壁面、ベランダの笠木（手すり）やたて柱にアンテナを設置する。【解決手段】  平面アンテナ１の背面に４本の取付ネジ４０により第１取付金具Ａを固着する。２本の短ボルト４１を第１取付金具Ａの上側板に形成された孔部に挿通して第２取付金具Ｂの上側板に形成されたネジ孔に螺着することにより、第２取付金具Ｂを第１取付金具Ａに固着する。第２取付金具Ｂと第３取付金具Ｃにより丸マスト４２を挟持して、長ボルト４３を第３取付金具Ｃの孔部３０ｂと異形孔３０ａに挿通して、第２取付金具Ｂのネジ孔２０ｄにそれぞれ螺着することにより、平面アンテナ１を丸マスト４２に設置することができる。【選択図】  図９
2012178802.tif 000002
【特許請求の範囲】
【請求項１】
Ｌ字状の折曲部がほぼ直立して形成されている第１平板部と、該第１平板部の上部にほぼ直交するよう折曲されて前記折曲部とほぼ平行に形成されている第１上側板と、前記第１平板部の前記折曲部を囲むほぼ正方形の頂点の位置に形成された第１孔部と、前記折曲部の先端を前記第１上側板の方向と逆方向に折り曲げて形成した差し込み用爪と、前記第１上側板の左右に形成されている１対の第２孔部とを有する第１取付金具と、
前記第１取付金具の前記第１上側板に形成されている前記第２孔部の間隔とほぼ同じ間隔で中央より上部の左右に形成されている第１ネジ孔と、前記第２孔部の間隔とほぼ同じ間隔で下部の左右に形成されている第２ネジ孔とが形成されている第２平板部と、該第２平板部の上部にほぼ直交するよう折曲されて形成されている第２上側板と、前記第２平板部の下部にほぼ直交するよう折曲されて前記第２上側板と対向するよう形成されている第１下側板と、前記第２平板部の上部の左右にそれぞれ形成された第１異形穴と、前記第２平板部の四隅に形成されている挿通孔と、前記第２平板部に形成された前記第１異形穴の一方と、その下方に形成されている前記第２ネジ孔の一つとの間に形成されている第２異形穴と、前記第２孔部の間隔とほぼ同じ間隔で前記第２上側板に形成されている第３ネジ孔と、前記第１下側板に形成された前記差し込み用爪が嵌入可能な細長い矩形孔とを有する第２取付金具と、
第３平板部と、該第３平板部の上下がほぼ直交して折曲されることにより対面するよう形成された第３上側板と第２下側板と、前記第３平板部の一方の側に形成された第３異形孔と、前記第３平板部の他方の側に形成された第３孔部と、前記第３上側板と前記第２下側板のほぼ中央の外縁に形成された外縁に向かって幅が広がる三角溝とを有し、前記第３異形孔と前記第３孔部との間隔が前記第２取付金具の前記第１ネジ孔の間隔と同じとされている断面コ字状の第３取付金具と、
を備えることを特徴とするアンテナ設置金具。
【請求項２】
前記第１取付金具の前記第１孔部のそれぞれに挿通した取付ネジを、平板状のアンテナの背面においてほぼ正方形の頂点の位置に形成されている取付ネジ孔に螺着することにより、前記第１取付金具を前記アンテナの背面に固着し、
前記第２取付金具の前記矩形孔に前記第１取付金具の前記差し込み用爪を嵌入して係合させると共に、前記第１取付金具における前記第１上側板の前記第２孔部に挿通したボルトを、前記第１上側板の内側に当接している前記第２取付金具の前記第２上側板の前記第３ネジ孔に螺着することにより、前記第２取付金具を前記第１取付金具に固着し、
前記第３取付金具の前記第３異形孔および前記第３孔部に挿通したボルトを、前記第２取付金具の前記第１ネジ孔に螺着することにより、前記第２取付金具と前記第３取付金具との間に挟持された支持物に前記アンテナを設置するようにしたことを特徴とする請求項１記載のアンテナ設置金具。
【請求項３】
前記第１取付金具の前記第１孔部のそれぞれに挿通した取付ネジを、平板状のアンテナの背面においてほぼ正方形の頂点の位置に形成されている取付ネジ孔に螺着することにより、前記第１取付金具を前記アンテナの背面に固着し、
前記第２取付金具における第２平板部の前記挿通孔に挿通されたネジを壁面に螺着することにより、前記第２取付金具を前記壁面に取り付け、
前記第１取付金具の前記矩形孔に前記第１取付金具の前記差し込み用爪を嵌入して係合させると共に、前記第１取付金具における前記第１上側板の前記第２孔部に挿通したボルトを、前記第１上側板の内側に当接している前記第２取付金具の前記第２上側板の前記第３ネジ孔に螺着することにより、前記壁面に前記アンテナを設置するようにしたことを特徴とする請求項１記載のアンテナ設置金具。
【請求項４】
前記第１取付金具の前記第１孔部のそれぞれに挿通した取付ネジを、平板状のアンテナの背面においてほぼ正方形の頂点の位置に形成されている取付ネジ孔に螺着することにより、前記第１取付金具を前記アンテナの背面に固着し、
前記第１取付金具における前記第１上側板の前記第２孔部に挿通したボルトを、前記第１上側板の内側に当接している前記第２取付金具における前記第２ネジ孔に螺着することにより、前記第２取付金具を前記第１取付金具に固着し、
前記第３取付金具の前記第３異形孔および前記第３孔部に挿通したボルトを、前記第２取付金具における前記第２上側板の前記第３ネジ孔に螺着することにより、前記第２取付金具と前記第３取付金具との間に挟持された支持物に前記アンテナを設置するようにしたことを特徴とする請求項１記載のアンテナ設置金具。
【発明の詳細な説明】
【技術分野】
【０００１】
本発明は、地上デジタル放送対応アンテナ等の平板状のアンテナを設置するアンテナ設置金具に関する。
【背景技術】
【０００２】
従来の八木式アンテナは、断面が円形のマストや断面が矩形の角柱に設置する事が多かった。また、ＢＳ・ＣＳアンテナや地上デジタル放送対応アンテナは、一般にベランダの格子や壁面に取り付けるようにしていた。従来のベランダの形状は格子状とされている場合が多かったが、最近のベランダの形状では壁部の上部に笠木（手すり）とたて柱を持った形状とされている場合が多くなってきている。このようなベランダの笠木（手すり）やたて柱には、従来の取付金具ではアンテナを取り付けることができないことから、付属品とは別の専用の取付金具を購入するようにしてアンテナをベランダの笠木（手すり）やたて柱に取り付けるようにしていた。
【先行技術文献】
【特許文献】
【０００３】
【特許文献１】特開２０１０−２２６１５０号公報
【発明の概要】
【発明が解決しようとする課題】
【０００４】
ベランダの笠木（手すり）やたて柱に取り付ける場合に、取付金具を別途購入することはコストが上昇することからユーザーに敬遠されると云う問題点があった。
また、従来の取付金具を用いて平板状の地上デジタル放送対応アンテナを壁面に取り付ける場合は、アンテナと壁面との間に大きな間隔（隙間）が必要とされて、アンテナが壁面から飛び出すようになり、家の外観を悪化させるという問題点があった。さらに、アンテナと壁面との間隔（隙間）が大きいと、降雨時にアンテナ背面の壁に雨がかかってしまい、雨が止んだ後に壁面に雨だれ（雨水跡）ができる。この雨だれは、汚れを含んだ雨水が壁を伝わる事で起こり、壁面の突起物や段差から汚水が流れた様に見えることから、壁面が黒っぽく汚染されるという問題点もあった。
そこで、本発明は、断面が円形のマストや断面が矩形の角柱、ベランダの格子や壁面、ベランダの笠木（手すり）やたて柱にアンテナを設置することができるとともに、壁面に取り付けた際にアンテナと壁面との間隔を小さくすることのできるアンテナ設置金具を提供することを目的としている。
【課題を解決するための手段】
【０００５】
本発明のアンテナ設置金具は、Ｌ字状の折曲部がほぼ直立して形成されている第１平板部と、該第１平板部の上部にほぼ直交するよう折曲されて前記折曲部とほぼ平行に形成されている第１上側板と、前記第１平板部の前記折曲部を囲むほぼ正方形の頂点の位置に形成された第１孔部と、前記折曲部の先端を前記第１上側板の方向と逆方向に折り曲げて形成した差し込み用爪と、前記第１上側板の左右に形成されている１対の第２孔部とを有する第１取付金具と、前記第１取付金具の前記第１上側板に形成されている前記第２孔部の間隔とほぼ同じ間隔で中央より上部の左右に形成されている第１ネジ孔と、前記第２孔部の間隔とほぼ同じ間隔で下部の左右に形成されている第２ネジ孔とが形成されている第２平板部と、該第２平板部の上部にほぼ直交するよう折曲されて形成されている第２上側板と、前記第２平板部の下部にほぼ直交するよう折曲されて前記第２上側板と対向するよう形成されている第１下側板と、前記第２平板部の上部の左右にそれぞれ形成された第１異形穴と、前記第２平板部の四隅に形成されている挿通孔と、前記第２平板部に形成された前記第１異形穴の一方と、その下方に形成されている前記第２ネジ孔の一つとの間に形成されている第２異形穴と、前記第２孔部の間隔とほぼ同じ間隔で前記第２上側板に形成されている第３ネジ孔と、前記第１下側板に形成された前記差し込み用爪が嵌入可能な細長い矩形孔とを有する第２取付金具と、第３平板部と、該第３平板部の上下がほぼ直交して折曲されることにより対面するよう形成された第３上側板と第２下側板と、前記第３平板部の一方の側に形成された第３異形孔と、前記第３平板部の他方の側に形成された第３孔部と、前記第３上側板と前記第２下側板のほぼ中央の外縁に形成された外縁に向かって幅が広がる三角溝とを有し、前記第３異形孔と前記第３孔部との間隔が前記第２取付金具の前記第１ネジ孔の間隔と同じとされている断面コ字状の第３取付金具とを備えることを最も主要な特徴としている。
【発明の効果】
【０００６】
本発明によれば、アンテナの背面に固着した第１取付金具に、第２取付金具と第３取付金具とを組み合わせることにより、断面が円形のマストや断面が矩形の角柱にアンテナを設置することができる。また、アンテナの背面に固着した第１取付金具に、壁面に固着した第２取付金具を組み合わせることにより、壁面とアンテナとの間隔を小さくしてアンテナを壁面に固着することができる。さらに、アンテナの背面に固着した第１取付金具に、組み合わせ方を変更した第２取付金具と第３取付金具を組み合わせることにより、ベランダの笠木（手すり）やたて柱にアンテナを設置することができるようになる。
【図面の簡単な説明】
【０００７】
【図１】本発明の実施例のアンテナ設置金具により設置されるアンテナの前側の構成を示す斜視図である。
【図２】本発明の実施例のアンテナ設置金具により設置されるアンテナの後側の構成を示す他の斜視図である。
【図３】本発明の実施例のアンテナ設置金具における第１取付金具の前側の構成を示す斜視図である。
【図４】本発明の実施例のアンテナ設置金具における第２取付金具の前側および後側の構成を示す斜視図である。
【図５】本発明の実施例のアンテナ設置金具における第３取付金具の前側および後側の構成を示す斜視図である。
【図６】本発明にかかるアンテナ設置金具の第１取付金具をアンテナに固着する構成を示す斜視図である。
【図７】本発明にかかるアンテナ設置金具のアンテナに固着した第１取付金具に第２取付金具を固着する構成を示す斜視図である。
【図８】本発明にかかるアンテナ設置金具のアンテナに固着した第１取付金具に第２取付金具を固着する次の構成を示す斜視図である。
【図９】本発明にかかるアンテナ設置金具のアンテナに固着した第２取付金具に第３取付金具を組み合わせて丸マストにアンテナを固着する構成を示す斜視図である。
【図１０】本発明にかかるアンテナ設置金具のアンテナに固着した第２取付金具に第３取付金具を組み合わせて角マストにアンテナを固着する構成を示す斜視図である。
【図１１】本発明にかかるアンテナ設置金具の第１取付金具をアンテナに固着する他の構成を示す斜視図である。
【図１２】本発明にかかるアンテナ設置金具のアンテナに固着した第１取付金具に第２取付金具を固着する他の構成を示す斜視図である。
【図１３】本発明にかかるアンテナ設置金具のアンテナに固着した第１取付金具に第２取付金具を固着する次の他の構成を示す斜視図である。
【図１４】本発明にかかるアンテナ設置金具のアンテナに固着した第２取付金具に第３取付金具を組み合わせて丸マストにアンテナを固着する他の構成を示す斜視図である。
【図１５】本発明にかかるアンテナ設置金具のアンテナに固着した第２取付金具に第３取付金具を組み合わせて角マストにアンテナを固着する他の構成を示す斜視図である。
【図１６】本発明にかかるアンテナ設置金具の第１取付金具をアンテナに固着する構成を示す斜視図である。
【図１７】本発明にかかるアンテナ設置金具の第２取付金具を壁面に固着する構成を示す斜視図である。
【図１８】本発明にかかるアンテナ設置金具の第２取付金具を壁面に固着する次の構成を示す斜視図である。
【図１９】本発明にかかるアンテナ設置金具のアンテナに固着した第１取付金具に、壁面に固着した第２取付金具を固着する構成を示す斜視図である。
【図２０】本発明にかかるアンテナ設置金具のアンテナに固着した第１取付金具に、壁面に固着した第２取付金具を固着して壁面にアンテナを固着する構成を示す斜視図である。
【図２１】本発明にかかるアンテナ設置金具の第１取付金具をアンテナに固着する他の構成を示す斜視図である。
【図２２】本発明にかかるアンテナ設置金具の第２取付金具を壁面に固着する他の構成を示す斜視図である。
【図２３】本発明にかかるアンテナ設置金具の第２取付金具を壁面に固着する次の他の構成を示す斜視図である。
【図２４】本発明にかかるアンテナ設置金具のアンテナに固着した第１取付金具に、壁面に固着した第２取付金具を固着する他の構成を示す斜視図である。
【図２５】本発明にかかるアンテナ設置金具のアンテナに固着した第１取付金具に、壁面に固着した第２取付金具を固着して壁面にアンテナを固着する他の構成を示す斜視図である。
【図２６】本発明にかかるアンテナ設置金具によりベランダの格子部にアンテナを固着する構成を示す斜視図である。
【図２７】本発明にかかるアンテナ設置金具によりベランダの格子部にアンテナを固着する他の構成を示す斜視図である。
【図２８】本発明にかかるアンテナ設置金具のアンテナに固着した第１取付金具に第２取付金具の固着態様を替えて固着する構成を示す斜視図である。
【図２９】本発明にかかるアンテナ設置金具のアンテナに固着した第２取付金具に第３取付金具を組み合わせてベランダの笠木にアンテナを固着する構成を示す斜視図である。
【図３０】本発明にかかるアンテナ設置金具のアンテナに固着した第１取付金具に第２取付金具の固着態様を替えて固着する他の構成を示す斜視図である。
【図３１】本発明にかかるアンテナ設置金具のアンテナに固着した第２取付金具に第３取付金具を組み合わせてベランダの笠木にアンテナを固着する他の構成を示す斜視図である。
【図３２】本発明にかかるアンテナ設置金具のアンテナに固着した第２取付金具に第３取付金具を組み合わせてベランダの笠木にアンテナを固着するさらに他の構成を示す斜視図である。
【図３３】本発明にかかるアンテナ設置金具のアンテナに固着した第１取付金具に第２取付金具の固着態様を替えて固着するさらに他の構成を示す斜視図である。
【図３４】本発明にかかるアンテナ設置金具のアンテナに固着した第２取付金具に第３取付金具を組み合わせてベランダのたて柱にアンテナを固着する構成を示す斜視図である。
【図３５】本発明にかかるアンテナ設置金具のアンテナに固着した第１取付金具に第２取付金具の固着態様を替えて固着するさらに他の構成を示す斜視図である。
【図３６】本発明にかかるアンテナ設置金具のアンテナに固着した第２取付金具に第３取付金具を組み合わせてベランダのたて柱にアンテナを固着するさらに他の構成を示す斜視図である。
【図３７】本発明にかかるアンテナ設置金具のアンテナに固着した第２取付金具に第３取付金具を組み合わせてベランダのたて柱にアンテナを固着する他の構成を示す斜視図である。
【発明を実施するための形態】
【０００８】
本発明の実施例のアンテナ設置金具により設置されるアンテナの前側の構成を示す斜視図を図１に、アンテナの後側の構成を示す斜視図を図２に示す。
これらの図に示すように、本発明の実施例のアンテナ設置金具により設置されるアンテナは平面アンテナ１とされており、平板状の縦長の形状をしている。平面アンテナ１は、アンテナケース１ａを備えており、アンテナケース１ａ内にアンテナ素子が内蔵されている。図示するように縦長に配置した際に、平面アンテナは水平偏波用アンテナとして動作し、約９０°回転させて横長に配置した際に垂直偏波用アンテナとして動作するようになる。アンテナケース１ａの下面には、受信信号を出力する同軸端子とされた出力端子１ｂが設けられている。また、アンテナケース１ａの背面にはほぼ正方形の頂点に位置して４つのネジ孔１ｃが形成されている。
平面アンテナ１は、例えば地上デジタル放送対応アンテナとされ、１３〜５２ｃｈが受信チャンネルとされ、その受信周波数帯域は約４７０ＭＨｚ〜約７１０ＭＨｚ、動作利得は約８．０ｄＢ〜約９．３ｄＢ、電力半値幅が約８０°位と広く指向特性がブロードとされており、高さが約６３７ｍｍで幅が約２７６ｍｍで奥行きが約６８ｍｍとされている。
【０００９】
上記した平面アンテナ１を種々の支持物や壁面に取り付けることのできる本発明の実施例のアンテナ設置金具は、第１取付金具Ａと第２取付金具Ｂと第３取付金具Ｃとから構成されている。まず、第１取付金具Ａの構成を示す斜視図を図３に示す。
図３に示すように、第１取付金具Ａは金属板を加工することにより作成されており、「Ａ」の表示がされている側が表面とされている。第１取付金具Ａは、平面状の平板部１０と、平板部１０の左右を約９０°折り曲げて形成された側板１１と、平板部１０の上部を側板１１と同方向に約９０°折り曲げて形成された上側板１２とを有している。この上側板１２の両側端は下方へ折り曲げられており、その端縁は約４５°の斜縁に形成されて、側板１１の上縁に形成されている約４５°の斜縁に当接している。第１取付金具Ａの板厚は約２ｍｍとされ、高さは約１９２ｍｍで幅が約１３７ｍｍとされ、上側板１２の奥行きが約４１ｍｍとされている。
平板部１０の下半分においてほぼ正方形の頂点に位置して４つの孔部１０ａが形成されている。この孔部１０ａの位置は、平面アンテナ１の背面に形成されているネジ孔１ｃの位置に対応している。また、平板部１０の上部から中央の若干下まで切欠が形成されており、この切欠の下縁にＬ字状の折曲部１３が延伸されている。折曲部１３は、平板部１０に対してほぼ直交するよう折曲されて上側板１２と同方向に延伸しており、その先端が下方へ折り曲げられて差し込み用爪１３ａが形成されている。さらに、上側板１２の左右にそれぞれ孔部１２ａが形成されている。折曲部１３の奥行きは約３０．５ｍｍとされ、上側板１２と折曲部１３との間隔は約１２５ｍｍとされ、差し込み用爪１３ａの幅は約３０ｍｍで高さは約１５ｍｍとされている。
【００１０】
次に、第２取付金具Ｂの前側の構成を示す斜視図を図４（ａ）に示し、第２取付金具Ｂの後側の構成を示す斜視図を図４（ｂ）に示す。
これらの図に示すように、第２取付金具Ｂは金属板を加工することにより作成されており、「Ｂ」の表示がされている側が表面とされている。第２取付金具Ｂは、平面状の平板部２０と、平板部２０の左右を約９０°折り曲げて形成された側板２２と、平板部２０の上部を側板２２と同方向に約９０°折り曲げて形成された上側板２３と、平板部２０の下部を上側板２３と同方向に約９０°折り曲げて形成された下側板２４とを有している。平板部２０のほぼ中央に縦方向に断面三角状の三角溝２１が形成されている。上側板２３の両側端は下方へ折り曲げられており、その端縁は約４５°の斜縁に形成されて、側板２２の上縁に形成されている約４５°の斜縁に当接しており、当接している合わせ目が溶接部２５とされて合わせ目の全体に溶接が施されている。これにより、平板部２０と上側板２３とは強固に約９０°の角度を持って固着されて、平板部２０と上側板２３との境界に大きな応力が印加されても、平板部２０に対して上側板２３は約９０°の角度を維持するようになる。なお、下側板２４は、中央部を残して両側が切り取られている形状とされている。
第２取付金具Ｂの板厚は約２ｍｍとされ、高さは約１３０ｍｍで幅が約１３０ｍｍとされ、上側板２３の奥行きが約４８ｍｍで下側板２４の中央部の奥行きが約４５ｍｍとされている。また、三角溝２１の深さが約５ｍｍで、三角溝２１の斜面の開き角度は約１２０°に形成されている。
【００１１】
また、平板部２０の中央より若干上方に位置して左右に一対のネジ孔２０ｄと、平板部２０の下部の左右に一対のネジ孔２０ｇとが形成されている。ネジ孔２０ｄ同士の間隔とネジ孔２０ｇ同士の間隔とは同じとされ、第１取付金具Ａの上側板１２に形成されている孔部１２ａ同士の間隔と同様とされている。さらに、平板部２０の四隅には挿通孔２０ｅがそれぞれ形成されており、一対のネジ孔２０ｇの内側に一対の孔部２０ｆが形成されている。さらにまた、平板部２０の上部には円形の孔に径の小さい円形の孔を連通させた異形孔２０ａと異形孔２０ｃとが左右にそれぞれ形成されており、異形孔２０ａと孔部２０ｆとの間にも異形孔２０ｂが形成されている。さらに、上側板２３の左右にそれぞれネジ孔２３ａが形成されており、ネジ孔２３ａ同士の間隔は、第１取付金具Ａの上側板１２に形成されている孔部１２ａ同士の間隔と同様とされている。さらにまた、下側板２４の中央部の奥行きが大きい部分の左右の端にそれぞれ孔部２４ａが形成されており、孔部２４ａ間に細長い矩形状の矩形孔２４ｂが形成されている。この矩形孔２４ｂには、第１取付金具１０の折曲部１３の先端に形成されている差し込み用爪１３ａが嵌入可能とされ、矩形孔２４ｂの幅は約３２ｍｍとされている。
【００１２】
次に、第３取付金具Ｃの前側の構成を示す斜視図を図５（ａ）に示し、第３取付金具Ｃの後側の構成を示す斜視図を図５（ｂ）に示す。
これらの図に示すように、第３取付金具Ｃは金属板を加工することにより作成されており、「Ｃ」の表示がされている側が表面とされている。第２取付金具Ｃは、平面状の平板部３０と、平板部３０の上下を同方向に約９０°折り曲げて形成された上側板３１と下側板３２とを有している。上側板３１の外縁のほぼ中央に外縁に向かって幅が広がる三角溝３３が形成されている。また、下側板３２の外縁のほぼ中央にも外縁に向かって幅が広がる三角溝３３が形成されている。この三角溝３３の斜面には尖った段差が複数形成されており、平面アンテナ１が設置される支持物が三角溝３３内に挟持された際に段差が支持物に喰い込むようになる。
第３取付金具Ｃの板厚は約３．２ｍｍとされ、高さは約４７ｍｍで幅が約１３６ｍｍとされ、上側板３１および下側板３２の奥行きが約２０ｍｍとされている。また、三角溝２１の深さが約７ｍｍで、三角溝２１の最大幅は約３０ｍｍとされている。
平板部３０の左右の一方の側に円形の孔に径の小さい円形の孔を連通させた異形孔３０ａが形成され、他方の側に孔部３０ｂが形成されている。この異形孔３０ａと孔部３０ｂとの間隔は、ネジ孔２０ｄ同士の間隔、ネジ孔２０ｇ同士の間隔、ネジ孔２３ａ同士の間隔と同じ間隔とされている。
【００１３】
以上説明した第１取付金具Ａ、第２取付金具Ｂおよび第３取付金具Ｃからなる本発明のアンテナ設置金具を用いて平面アンテナ１を支持物に設置する構成を以下に説明する。平面アンテナ１を断面が円形の丸マストに設置する際に水平偏波を受信する場合の構成を図６ないし図９に示す。図６は第１取付金具Ａを平面アンテナ１に固着する構成を示す斜視図であり、図７は平面アンテナ１に固着した第１取付金具Ａに第２取付金具Ｂを固着する構成を示す斜視図であり、図８は平面アンテナ１に固着した第１取付金具Ａに第２取付金具Ｂを固着する次の構成を示す斜視図であり、図９は平面アンテナ１に固着した第２取付金具Ｂに第３取付金具Ｃを組み合わせて丸マストに平面アンテナ１を固着する構成を示す斜視図である。
【００１４】
水平偏波受信時の平面アンテナ１を丸マストに固着する際には、まず、図６に示すように、第１取付金具Ａの平板部１０に形成されている４つの孔部１０ａに４本の取付ネジ４０をそれぞれ挿通して、縦長に配置した平面アンテナ１の背面に形成されている４つのネジ孔１ｃに取付ネジ４０をそれぞれ螺着する。これにより、第１取付金具Ａを平面アンテナ１の背面に固着することができる。次いで図７に示すように、平面アンテナ１の背面に固着した第１取付金具Ａの折曲部１３の先端に形成されている差し込み用爪１３ａを、第２取付金具Ｂの下側板２４に形成されている細長い矩形孔２４ｂ内に嵌入し、第２取付金具Ｂの上側板２３が第１取付金具Ａの上側板１２の内側に当接するように、第２取付金具Ｂを第１取付金具Ａ内に嵌合する。この際に、第２取付金具Ｂの上側板２３に形成されている２つのネジ孔２３ａの位置に、第１取付金具Ａの上側板１２に形成されている２つの孔部１２ａの位置が一致するようになる。そこで、図８に示すように２本の短ボルト４１を第１取付金具Ａの２つの孔部１２ａにそれぞれ挿通して、第２取付金具Ｂの２つのネジ孔２３ａにそれぞれ螺着する。これにより、差し込み用爪１３ａが矩形孔２４ｂに嵌入されている作用と短ボルト４１による螺着との作用とで、第１取付金具Ａから第２取付金具Ｂが抜け出ることなく両者を強固に固着することができる。
【００１５】
次いで、図９に示すように、丸マスト４２の外表面を第２取付金具Ｂの平板部２０に形成されている三角溝２１に当接させ、丸マスト４２の反対側の外表面が第３取付金具Ｃの上側板３１および下側板３２に形成されている三角溝３３に当接するよう第３取付金具Ｃを配置する。そして、第３取付金具Ｃの孔部３０ｂおよび異形孔３０ａに２本の長ボルト４３をそれぞれ挿通して、第２取付金具Ｂの平板部２０に形成されている２つのネジ孔２０ｄにそれぞれ長ボルト４３を螺着する。これにより、丸マスト４２が第２取付金具Ｂと第３取付金具Ｃとにより挟持されて、水平偏波受信時の平面アンテナ１が丸マスト４２に設置されるようになる。この際に、丸マスト４２は第２取付金具Ｂの三角溝２１と第３取付金具Ｃの三角溝３３とにより挟持されることから、平面アンテナ１を丸マスト４２に強固に設置することができるようになる。
なお、丸マスト４２に替えて断面が矩形の角マスト４４にも  本発明にかかるアンテナ設置金具を用いて水平偏波受信時の平面アンテナ１を固着することができ、この際の構成を示す斜視図を図１０に示す。図１０に示すように、角マスト４４に平面アンテナ１を設置する場合は、第３取付金具Ｃの平板部３０が角マスト４４に当接されるよう第３取付金具Ｃの表裏を逆に配置する。そして、第３取付金具Ｃの孔部３０ｂおよび異形孔３０ａに２本の長ボルト４３をそれぞれ挿通して、第２取付金具Ｂの平板部２０に形成されている２つのネジ孔２０ｄにそれぞれ長ボルト４３を螺着する。これにより、角マスト４４が第２取付金具Ｂと第３取付金具Ｃとにより挟持されて、水平偏波受信時の平面アンテナ１を角マスト４４に設置することができる。他の構成は、図６ないし図８に示す構成と同様とされるので、その説明は省略する。
【００１６】
次に、垂直偏波受信時の平面アンテナ１を断面が円形の丸マストに設置する場合の構成を図１１ないし図１４に示す。図１１は第１取付金具Ａを平面アンテナ１に固着する構成を示す斜視図であり、図１２は平面アンテナ１に固着した第１取付金具Ａに第２取付金具Ｂを固着する構成を示す斜視図であり、図１３は平面アンテナ１に固着した第１取付金具Ａに第２取付金具Ｂを固着する次の構成を示す斜視図であり、図１４は平面アンテナ１に固着した第２取付金具Ｂに第３取付金具Ｃを組み合わせて丸マストに平面アンテナ１を固着する構成を示す斜視図である。
【００１７】
垂直偏波受信時の平面アンテナ１を丸マストに固着する際には、まず、図１１に示すように、第１取付金具Ａの平板部１０に形成されている４つの孔部１０ａに４本の取付ネジ４０をそれぞれ挿通して、横長に配置した平面アンテナ１の背面に形成されている４つのネジ孔１ｃに取付ネジ４０をそれぞれ螺着する。これにより、第１取付金具Ａが平面アンテナ１の背面に固着され、第１取付金具Ａの上側板１２の面と平面アンテナ１の長辺の面とがほぼ同一に配置される。次いで図１２に示すように、平面アンテナ１の背面に固着した第１取付金具Ａの折曲部１３の先端に形成されている差し込み用爪１３ａを、第２取付金具Ｂの下側板２４に形成されている細長い矩形孔２４ｂ内に嵌入し、第２取付金具Ｂの上側板２３が第１取付金具Ａの上側板１２の内側に当接するように、第２取付金具Ｂを第１取付金具Ａ内に嵌合する。この際に、第２取付金具Ｂの上側板２３に形成されている２つのネジ孔２３ａの位置に、第１取付金具Ａの上側板１２に形成されている２つの孔部１２ａの位置が一致するようになる。そこで、図１３に示すように２本の短ボルト４１を第１取付金具Ａの２つの孔部１２ａにそれぞれ挿通して、第２取付金具Ｂの２つのネジ孔２３ａにそれぞれ螺着する。これにより、差し込み用爪１３ａが矩形孔２４ｂに嵌入されている作用と短ボルト４１による螺着との作用とで、第１取付金具Ａから第２取付金具Ｂが抜け出ることなく両者を強固に固着することができる。
【００１８】
次いで、図１４に示すように、丸マスト４２の外表面を第２取付金具Ｂの平板部２０に形成されている三角溝２１に当接させ、丸マスト４２の反対側の外表面が第３取付金具Ｃの上側板３１および下側板３２に形成されている三角溝３３に当接するよう第３取付金具Ｃを配置する。そして、第３取付金具Ｃの孔部３０ｂおよび異形孔３０ａに２本の長ボルト４３をそれぞれ挿通して、第２取付金具Ｂの平板部２０に形成されている２つのネジ孔２０ｄにそれぞれ長ボルト４３を螺着する。これにより、丸マスト４２が第２取付金具Ｂと第３取付金具Ｃとにより挟持されて、垂直偏波受信時の平面アンテナ１が丸マスト４２に設置されるようになる。この際に、丸マスト４２は第２取付金具Ｂの三角溝２１と第３取付金具Ｃの三角溝３３とにより挟持されることから、平面アンテナ１を丸マスト４２に強固に設置することができるようになる。
【００１９】
なお、丸マスト４２に替えて断面が矩形の角マスト４４に  本発明にかかるアンテナ設置金具を用いて垂直偏波受信時の平面アンテナ１を固着することができ、この際の構成を示す斜視図を図１５に示す。
図１５に示すように、角マスト４４に垂直偏波受信時の平面アンテナ１を設置する場合は、第３取付金具Ｃの平板部３０が角マスト４４に当接するよう第３取付金具Ｃの表裏を逆に配置する。そして、第３取付金具Ｃの孔部３０ｂおよび異形孔３０ａに２本の長ボルト４３をそれぞれ挿通して、第２取付金具Ｂの平板部２０に形成されている２つのネジ孔２０ｄにそれぞれ長ボルト４３を螺着する。これにより、角マスト４４が第２取付金具Ｂと第３取付金具Ｃとにより挟持されて、角マスト４４に垂直偏波受信時の平面アンテナ１を設置することができる。他の構成は、図１１ないし図１３に示す構成と同様とされるので、その説明は省略する。
【００２０】
次に、水平偏波受信時の平面アンテナ１を建物の壁面に設置する場合の構成を図１６ないし図２０に示す。図１６は第１取付金具Ａを平面アンテナ１に固着する構成を示す斜視図であり、図１７は第２取付金具Ｂを壁面に固着する構成を示す斜視図であり、図１８は第２取付金具Ｂを壁面に固着する次の構成を示す斜視図であり、図１９は平面アンテナ１に固着した第１取付金具Ａを壁面に固着した第２取付金具Ｂに固着する構成を示す斜視図であり、図２０は平面アンテナ１に固着した第１取付金具Ａを壁面に固着した第２取付金具Ｂに固着する次の構成を示す斜視図である。
【００２１】
水平偏波受信時の平面アンテナ１を壁面に固着する際には、まず、図１６に示すように、９０°回転させた状態の第１取付金具Ａの平板部１０に形成されている４つの孔部１０ａに４本の取付ネジ４０をそれぞれ挿通して、縦長に配置した平面アンテナ１の背面に形成されている４つのネジ孔１ｃに取付ネジ４０をそれぞれ螺着する。これにより、第１取付金具Ａが平面アンテナ１の背面に固着され、第１取付金具Ａの上側板１２の面と平面アンテナ１の長辺の面とがほぼ同一に配置される。次に図１７に示すように、壁面５０における平面アンテナ１を設置する場所に１本の木ネジ５１を中途まで螺着し、この木ネジ５１を第２取付金具Ｂの平板部２０に形成されている異形孔２０ｂに挿通する。そして、第２取付金具Ｂが約９０°回転した状態を維持させたまま仮止めするよう木ネジ５１を異形孔２０ｂの径の細い部位に締着する。次いで、図１８に示すように第２取付金具Ｂの平板部２０の四隅に形成されている４つの挿通孔２０ｅに４本の木ネジ５２をそれぞれ挿通して、４本の木ネジ５２を壁面５０に螺着する。これにより、第２取付金具Ｂが約９０°回転した状態で壁面５０に固着される。約９０°回転された第２取付金具Ｂにおいては、上側板２３が向かって右側に配置される。
【００２２】
次いで、図１９に示すように平面アンテナ１の背面に固着した第１取付金具Ａの折曲部１３の先端に形成されている差し込み用爪１３ａを、壁面５０に固着された第２取付金具Ｂの下側板２４に形成されている細長い矩形孔２４ｂ内に嵌入し、第２取付金具Ｂの上側板２３が第１取付金具Ａの上側板１２の内側に当接するように、第２取付金具Ｂを第１取付金具Ａ内に嵌合する。この際に、第２取付金具Ｂの上側板２３に形成されている２つのネジ孔２３ａの位置に、第１取付金具Ａの上側板１２に形成されている２つの孔部１２ａの位置が一致するようになる。そこで、図２０に示すように２本の短ボルト４１を第１取付金具Ａの２つの孔部１２ａにそれぞれ挿通して、第２取付金具Ｂの２つのネジ孔２３ａにそれぞれ螺着する。これにより、壁面５０に水平偏波受信時の平面アンテナ１を設置することができる。なお、設置された平面アンテナ１の背面と壁面５０との隙間は上側板２３の奥行きとほぼ同様の約５０ｍｍとなり、隙間に手を差し込んでの作業をしにくくなるが、第１取付金具Ａの上側板１２の面と平面アンテナ１の長辺の面とがほぼ同一に配置されることから、隙間に手を差し込んでの作業が不要となり短ボルト４１を容易に孔部１２ａに挿通してネジ孔２３ａに螺着することができる。また、差し込み用爪１３ａが矩形孔２４ｂに嵌入されている作用と短ボルト４１による螺着との作用とで、第１取付金具Ａから第２取付金具Ｂが抜け出ることなく両者を強固に固着することができる。
上記したように、平面アンテナ１を建物の壁面５０に設置する場合には第３取付金具Ｃは使用しない。また、平面アンテナ１を建物の壁面５０に設置した場合に、設置された平面アンテナ１の背面と壁面５０との隙間が約５０ｍｍと狭くすることができることから、降雨時に平面アンテナ１の背面の壁に雨がかかりにくくなり、雨が止んだ後に壁面に雨だれ（雨水跡）ができることを極力防止することができる。
【００２３】
次に、垂直偏波受信時の平面アンテナ１を建物の壁面に設置する場合の構成を図２１ないし図２５に示す。図２１は第１取付金具Ａを平面アンテナ１に固着する構成を示す斜視図であり、図２２は第２取付金具Ｂを壁面に固着する構成を示す斜視図であり、図２３は第２取付金具Ｂを壁面に固着する次の構成を示す斜視図であり、図２４は平面アンテナ１に固着した第１取付金具Ａを壁面に固着した第２取付金具Ｂに固着する構成を示す斜視図であり、図２５は平面アンテナ１に固着した第１取付金具Ａを壁面に固着した第２取付金具Ｂに固着する次の構成を示す斜視図である。
【００２４】
垂直偏波受信時の平面アンテナ１を壁面に固着する際には、まず、図２１に示すように、直立した状態の第１取付金具Ａの平板部１０に形成されている４つの孔部１０ａに４本の取付ネジ４０をそれぞれ挿通して、横長に配置した平面アンテナ１の背面に形成されている４つのネジ孔１ｃに取付ネジ４０をそれぞれ螺着する。これにより、第１取付金具Ａが平面アンテナ１の背面に固着され、第１取付金具Ａの上側板１２の面と平面アンテナ１の長辺の面とがほぼ同一に配置される。次に図２２に示すように、壁面５０における平面アンテナ１を設置する場所に２本の木ネジ５１を、ほぼ水平でその間隔が第２取付金具Ｂの平板部２０に形成されている異形孔２０ａと異形孔２０ｃとなるよう配置し中途まで螺着する。次いで、この２本の木ネジ５１に第２取付金具Ｂの平板部２０に形成されている異形孔２０ａと異形孔２０ｃとに挿通して、第２取付金具Ｂが直立した状態を維持させたまま仮止めするよう２本の木ネジ５１をそれぞれ異形孔２０ａと異形孔２０ｃとの径の小さい部位に締着する。次に、図２３に示すように第２取付金具Ｂの平板部２０の四隅に形成されている４つの挿通孔２０ｅに４本の木ネジ５２をそれぞれ挿通して、４本の木ネジ５２を壁面５０に螺着する。これにより、第２取付金具Ｂが直立した状態で壁面５０に固着される。
【００２５】
次いで、図２４に示すように平面アンテナ１の背面に固着した第１取付金具Ａの折曲部１３の先端に形成されている差し込み用爪１３ａを、壁面５０に固着された第２取付金具Ｂの下側板２４に形成されている細長い矩形孔２４ｂ内に嵌入し、第２取付金具Ｂの上側板２３が第１取付金具Ａの上側板１２の内側に当接するように、第２取付金具Ｂを第１取付金具Ａ内に嵌合する。この際に、第２取付金具Ｂの上側板２３に形成されている２つのネジ孔２３ａの位置に、第１取付金具Ａの上側板１２に形成されている２つの孔部１２ａの位置が一致するようになる。そこで、図２５に示すように２本の短ボルト４１を第１取付金具Ａの２つの孔部１２ａにそれぞれ挿通して、第２取付金具Ｂの２つのネジ孔２３ａにそれぞれ螺着する。これにより、壁面５０に垂直偏波受信時の平面アンテナ１を設置することができる。なお、設置された平面アンテナ１の背面と壁面５０との隙間は約５０ｍｍとなるが、第１取付金具Ａの上側板１２の面と平面アンテナ１の長辺の面とがほぼ同一に配置されることから、上記したように隙間に手を差し込んでの作業が不要となり短ボルト４１を容易に孔部１２ａに挿通してネジ孔２３ａに螺着することができる。また、差し込み用爪１３ａが矩形孔２４ｂに嵌入されている作用と短ボルト４１による螺着との作用とで、第１取付金具Ａから第２取付金具Ｂが抜け出ることなく両者を強固に固着することができる。
上記したように、平面アンテナ１を建物の壁面５０に設置する場合には第３取付金具Ｃは使用しない。また、平面アンテナ１を建物の壁面５０に設置した場合に、設置された平面アンテナ１の背面と壁面５０との隙間が約５０ｍｍと狭くすることができることから、降雨時に平面アンテナ１の背面の壁に雨がかかりにくくなり、雨が止んだ後に壁面に雨だれ（雨水跡）ができることを極力防止することができる。
【００２６】
次に、第１取付金具Ａ、第２取付金具Ｂおよび第３取付金具Ｃからなる本発明のアンテナ設置金具を用いて水平偏波受信時の平面アンテナ１をベランダの格子部４５ａに設置する構成を示す斜視図を図２６に示す。なお、ベランダにおいては横方向に延伸する幅が広くされている笠木４５ｂの下面から複数本の断面円形の格子部４５ａが縦方向に設けられている構成とされている。
水平偏波受信時の平面アンテナ１をベランダの格子部４５ａに設置する際には、前記した図６ないし図８に示すようにして平面アンテナ１の背面に固着した第１取付金具Ａに第２取付金具Ｂを固着する。次いで、図２６に示すように、縦方向に設けられている格子部４５ａの外表面に第２取付金具Ｂの平板部２０に形成されている三角溝２１に当接させ、格子部４５ａの反対側の外表面に第３取付金具Ｃの上側板３１および下側板３２に形成されている三角溝３３が当接するよう第３取付金具Ｃを配置する。そして、第３取付金具Ｃの孔部３０ｂおよび異形孔３０ａに２本の長ボルト４３をそれぞれ挿通して、第２取付金具Ｂの平板部２０に形成されている２つのネジ孔２０ｄにそれぞれ長ボルト４３を螺着する。これにより、格子部４５ａが第２取付金具Ｂと第３取付金具Ｃとにより挟持されて、水平偏波受信時の平面アンテナ１が断面円形の格子部４５ａに設置されるようになる。この際に、格子部４５ａは第２取付金具Ｂの三角溝２１と第３取付金具Ｃの三角溝３３とにより挟持されることから、平面アンテナ１を断面円形の格子部４５ａに強固に設置することができるようになる。
なお、格子部４５ａの外表面に平板部３０が当接するよう第３取付金具Ｃの表裏を逆に配置することにより、格子部４５ａの断面が矩形とされても平面アンテナ１を格子部４５ａに設置することができるようになる。
【００２７】
次に、第１取付金具Ａ、第２取付金具Ｂおよび第３取付金具Ｃからなる本発明のアンテナ設置金具を用いて垂直偏波受信時の平面アンテナ１をベランダの格子部４６ａに設置する構成を示す斜視図を図２７に示す。なお、ベランダにおいては横方向に延伸する幅が広くされている笠木４６ｂの下面から複数本の断面が矩形の格子部４６ａが縦方向に設けられている構成とされている。
垂直偏波受信時の平面アンテナ１をベランダの格子部４６ａに設置する際には、前記した図１１ないし図１３に示すようにして平面アンテナ１の背面に固着した第１取付金具Ａに第２取付金具Ｂを固着する。次いで、図２７に示すように、縦方向に設けられている格子部４６ａの外表面に第２取付金具Ｂの平板部２０を当接させ、格子部４６ａの反対側の外表面に第３取付金具Ｃの平板部３０が当接するよう第３取付金具Ｃを表裏を逆に配置する。そして、第３取付金具Ｃの孔部３０ｂおよび異形孔３０ａに２本の長ボルト４３をそれぞれ挿通して、第２取付金具Ｂの平板部２０に形成されている２つのネジ孔２０ｄにそれぞれ長ボルト４３を螺着する。これにより、断面が矩形の格子部４６ａが第２取付金具Ｂと第３取付金具Ｃとにより挟持されて、垂直偏波受信時の平面アンテナ１が断面が矩形の格子部４６ａに設置されるようになる。
なお、格子部４６ａの外表面に第３取付金具Ｃの上側板３１および下側板３２に形成されている三角溝３３が当接するよう第３取付金具Ｃを配置することにより、格子部４６ａの断面が円形とされても平面アンテナ１を格子部４６ａに設置することができるようになる。
【００２８】
次に、第１取付金具Ａ、第２取付金具Ｂおよび第３取付金具Ｃからなる本発明のアンテナ設置金具を用いて水平偏波受信時の平面アンテナ１をベランダの笠木４７ｂに設置する構成を図２８および図２９に示す。図２８（ａ）（ｂ）は平面アンテナ１に固着した第１取付金具Ａに第２取付金具Ｂを固着する構成を示す斜視図であり、図２９は平面アンテナ１に固着した第２取付金具Ｂに第３取付金具Ｃを組み合わせてベランダの笠木４７ｂに平面アンテナ１を固着する構成を示す斜視図である。なお、ベランダにおいては横方向に延伸する幅が広くされて断面が矩形の笠木４７ｂの下面から複数本の断面矩形の格子部４７ａが縦方向に設けられている構成とされている。
水平偏波受信時の平面アンテナ１をベランダの笠木４７ｂに設置する際には、図２８（ａ）に示すように、縦長に配置した平面アンテナ１の背面に固着した第１取付金具Ａに第２取付金具Ｂを固着する。この場合、第１取付金具Ａは図１６に示す構成により平面アンテナ１の背面に約９０°回転して固着されており、この第１取付金具Ａの上側板１２の内側に平板部２０の下部が当接されるよう第２取付金具Ｂを約９０°回転して嵌合する。この際に、第２取付金具Ｂの平板部２０の下部に形成されている２つのネジ孔２０ｇの位置に、第１取付金具Ａの上側板１２に形成されている２つの孔部１２ａの位置が一致するようになる。そこで、図２８（ｂ）に示すように２本の短ボルト４１を第１取付金具Ａの２つの孔部１２ａにそれぞれ挿通して、第２取付金具Ｂの２つのネジ孔２０ｇにそれぞれ螺着する。これにより、第１取付金具Ａから突出するよう第２取付金具Ｂを固着することができる。
【００２９】
次に図２９に示すように、横方向に設けられている断面が矩形の笠木４７ｂの外表面に第２取付金具Ｂの上側板２３を当接させ、笠木４７ｂの反対側の外表面に表裏を逆に配置した第３取付金具Ｃの平板部３０を当接させる。そして、第３取付金具Ｃの孔部３０ｂおよび異形孔３０ａに２本の長ボルト４３をそれぞれ挿通して、第２取付金具Ｂの上側板２３に形成されている２つのネジ孔２３ａにそれぞれ長ボルト４３を螺着する。これにより、断面が矩形の笠木４７ｂが第２取付金具Ｂと第３取付金具Ｃとにより挟持されて、水平偏波受信時の平面アンテナ１を幅が広くされている笠木４７ｂに設置することができるようになる。この場合、平面アンテナ１の背面と設置される笠木４７ｂとの間隔が第２取付金具Ｂの高さ分に相当する広い間隔とされることから、第２取付金具Ｂの平板部２０と上側板２３との境界に応力が集中する。しかし、上記したように上側板２３の両側端は下方へ折り曲げられて、その端縁は約４５°の斜縁に形成されて、側板２２の上縁に形成されている約４５°の斜縁に当接し、当接している合わせ目の全体が溶接部２５とされて溶接が施されている。このため、第２取付金具Ｂの平板部２０と上側板２３との境界に応力が集中しても、十分耐えることができる。
【００３０】
次に、第１取付金具Ａ、第２取付金具Ｂおよび第３取付金具Ｃからなる本発明のアンテナ設置金具を用いて垂直偏波受信時の平面アンテナ１をベランダの笠木４８ｂに設置する構成を図３０および図３１に示す。図３０は平面アンテナ１に固着した第１取付金具Ａに第２取付金具Ｂを固着する構成を示す斜視図であり、図３１は平面アンテナ１に固着した第２取付金具Ｂに第３取付金具Ｃを組み合わせてベランダの笠木４８ｂに平面アンテナ１を固着する構成を示す斜視図である。なお、ベランダにおいては横方向に延伸する幅が広くされて断面が矩形の笠木４８ｂの下面から複数本の断面矩形の格子部４８ａが縦方向に設けられている構成とされている。
垂直偏波受信時の平面アンテナ１をベランダの笠木４８ｂに設置する際には、図３０に示すように、横長に配置した平面アンテナ１の背面に固着した第１取付金具Ａに第２取付金具Ｂを固着する。この場合、第１取付金具Ａは図６に示す構成により平面アンテナ１の背面に固着されており、図６に示す平面アンテナ１を約９０°回転した状態に相当する。この第１取付金具Ａの上側板１２の内側に平板部２０の下部が当接されるよう第２取付金具Ｂを約９０°回転して嵌合する。この際に、第２取付金具Ｂの平板部２０の下部に形成されている２つのネジ孔２０ｇの位置に、第１取付金具Ａの上側板１２に形成されている２つの孔部１２ａの位置が一致するようになる。そこで、２本の短ボルト４１を第１取付金具Ａの２つの孔部１２ａにそれぞれ挿通して、第２取付金具Ｂの２つのネジ孔２０ｇにそれぞれ螺着する。これにより、第１取付金具Ａから突出するよう第２取付金具Ｂを固着することができる。
【００３１】
次に図３１に示すように、横方向に設けられている断面が矩形の笠木４８ｂの外表面に第２取付金具Ｂの上側板２３を当接させ、笠木４８ｂの反対側の外表面に表裏を逆に配置した第３取付金具Ｃの平板部３０を当接させる。そして、第３取付金具Ｃの孔部３０ｂおよび異形孔３０ａに２本の長ボルト４３をそれぞれ挿通して、第２取付金具Ｂの上側板２３に形成されている２つのネジ孔２３ａにそれぞれ長ボルト４３を螺着する。これにより、断面が矩形の笠木４８ｂが第２取付金具Ｂと第３取付金具Ｃとにより挟持されて、垂直偏波受信時の平面アンテナ１を幅が広くされている笠木４８ｂに設置することができるようになる。この場合、平面アンテナ１の背面と設置される笠木４８ｂとの間隔が第２取付金具Ｂの高さ分に相当する広い間隔とされることから、第２取付金具Ｂの平板部２０と上側板２３との境界に応力が集中するが、この境界には上記した溶接部２５が設けられていることから、第２取付金具Ｂの平板部２０と上側板２３との境界に応力が集中しても、十分耐えることができる。
【００３２】
ところで、ベランダの笠木が断面円形とされている場合がある。このような断面円形の笠木に第１取付金具Ａ、第２取付金具Ｂおよび第３取付金具Ｃからなる本発明のアンテナ設置金具を用いて平面アンテナ１を設置する構成を図３２に示す。なお、ベランダにおいては横方向に延伸する幅が広くされて断面が円形の笠木４９ｂの下面から複数本の断面円形の格子部４９ａが縦方向に設けられている構成とされている。
図３２においては平面アンテナ１は省略して示しているが、水平偏波受信時においては平面アンテナ１が縦長に配置され、垂直偏波受信時においては平面アンテナ１が横長に配置される。図示しない平面アンテナ１の背面に第１取付金具Ａが固着されており、図２８あるいは図３０に示す構成により第１取付金具Ａに第２取付金具Ｂが固着されている。次いで、図３２に示すように横方向に設けられている断面が円形の笠木４９ｂの外表面に第２取付金具Ｂの上側板２３を当接させ、笠木４９ｂの反対側の外表面に第３取付金具Ｃの上側板３１および下側板３２に形成されている三角溝３３が当接するよう第３取付金具Ｃを配置する。そして、第３取付金具Ｃの孔部３０ｂおよび異形孔３０ａに２本の長ボルト４３をそれぞれ挿通して、第２取付金具Ｂの上側板２３に形成されている２つのネジ孔２３ａにそれぞれ長ボルト４３を螺着する。これにより、断面が円形の笠木４９ｂが第２取付金具Ｂと第３取付金具Ｃとにより挟持されて、平面アンテナ１を幅が広くされて断面が円形の笠木４９ｂに設置することができるようになる。
この場合、平面アンテナ１の背面と設置される笠木４９ｂとの間隔が第２取付金具Ｂの高さ分に相当する広い間隔とされることから、第２取付金具Ｂの平板部２０と上側板２３との境界に応力が集中するが、この境界には上記した溶接部２５が設けられていることから、第２取付金具Ｂの平板部２０と上側板２３との境界に応力が集中しても、十分耐えることができる。
【００３３】
次に、第１取付金具Ａ、第２取付金具Ｂおよび第３取付金具Ｃからなる本発明のアンテナ設置金具を用いて水平偏波受信時の平面アンテナ１をベランダのたて柱５５ａに設置する構成を図３３および図３４に示す。図３３（ａ）（ｂ）は平面アンテナ１に固着した第１取付金具Ａに第２取付金具Ｂを固着する構成を示す斜視図であり、図３４は平面アンテナ１に固着した第２取付金具Ｂに第３取付金具Ｃを組み合わせてベランダのたて柱５５ａに平面アンテナ１を固着する構成を示す斜視図である。なお、ベランダにおいては壁部５５の上から縦方向に短いたて柱５５ａが複数本突出して設けられ、複数本の断面矩形のたて柱５５ａの上部が横方向に延伸する幅が広くされて断面が半円形の笠木５５ｂの下面に固着されている構成とされている。
水平偏波受信時の平面アンテナ１をベランダのたて柱５５ａに設置する際には、図３３（ａ）に示すように、縦長に配置した平面アンテナ１の背面に固着した第１取付金具Ａに第２取付金具Ｂを固着する。この場合、第１取付金具Ａは図６に示す構成により平面アンテナ１の背面に固着されており、この第１取付金具Ａの上側板１２の内側に平板部２０の下部が当接されるよう第２取付金具Ｂがほぼ水平に配置されて嵌合される。この際に、第２取付金具Ｂの平板部２０の下部に形成されている２つのネジ孔２０ｇの位置に、第１取付金具Ａの上側板１２に形成されている２つの孔部１２ａの位置が一致するようになる。そこで、図３３（ｂ）に示すように２本の短ボルト４１を第１取付金具Ａの２つの孔部１２ａにそれぞれ挿通して、第２取付金具Ｂの２つのネジ孔２０ｇにそれぞれ螺着する。これにより、第１取付金具Ａから突出するよう第２取付金具Ｂを固着することができる。
【００３４】
次に図３４に示すように、縦方向に設けられている断面が矩形のたて柱５５ａの外表面に第２取付金具Ｂの上側板２３を当接させ、たて柱５５ａの反対側の外表面に表裏を逆に配置した第３取付金具Ｃの平板部３０を当接させる。そして、第３取付金具Ｃの孔部３０ｂおよび異形孔３０ａに２本の長ボルト４３をそれぞれ挿通して、第２取付金具Ｂの上側板２３に形成されている２つのネジ孔２３ａにそれぞれ長ボルト４３を螺着する。これにより、断面が矩形のたて柱５５ａが第２取付金具Ｂと第３取付金具Ｃとにより挟持されて、水平偏波受信時の平面アンテナ１を断面が矩形で長さが短いたて柱５５ａに設置することができるようになる。
この場合、平面アンテナ１の背面と設置されるたて柱５５ａとの間隔が第２取付金具Ｂの高さ分に相当する広い間隔とされることから、壁部５５の厚さが厚くても笠木５５ｂの幅が広くてもこれらが邪魔になることがなく、たて柱５５ａに平面アンテナ１を設置することができるようになる。また、第２取付金具Ｂの平板部２０と上側板２３との境界に応力が集中するが、この境界には上記した溶接部２５が設けられていることから、第２取付金具Ｂの平板部２０と上側板２３との境界に応力が集中しても、十分耐えることができる。
【００３５】
次に、第１取付金具Ａ、第２取付金具Ｂおよび第３取付金具Ｃからなる本発明のアンテナ設置金具を用いて垂直偏波受信時の平面アンテナ１をベランダのたて柱５７ａに設置する構成を図３５および図３６に示す。図３５（ａ）（ｂ）は平面アンテナ１に固着した第１取付金具Ａに第２取付金具Ｂを固着する構成を示す斜視図であり、図３６は平面アンテナ１に固着した第２取付金具Ｂに第３取付金具Ｃを組み合わせてベランダのたて柱５７ａに平面アンテナ１を固着する構成を示す斜視図である。なお、ベランダにおいては壁部５７の上から縦方向に短いたて柱５７ａが複数本突出して設けられ、複数本の断面矩形のたて柱５７ａの上部が横方向に延伸する幅が広くされて断面が半円形の笠木５７ｂの下面に固着されている。
垂直偏波受信時の平面アンテナ１をベランダのたて柱５７ａに設置する際には、図３５（ａ）に示すように、横長に配置した平面アンテナ１の背面に固着した第１取付金具Ａに第２取付金具Ｂを固着する。この場合、第１取付金具Ａは図１１に示す構成により平面アンテナ１の背面に固着されており、この第１取付金具Ａの上側板１２の内側に平板部２０の下部が当接されるよう第２取付金具Ｂがほぼ水平に配置されて嵌合される。この際に、第２取付金具Ｂの平板部２０に形成されている２つのネジ孔２０ｇの位置に、第１取付金具Ａの上側板１２に形成されている２つの孔部１２ａの位置が一致するようになる。そこで、図３５（ｂ）に示すように２本の短ボルト４１を第１取付金具Ａの２つの孔部１２ａにそれぞれ挿通して、第２取付金具Ｂの２つのネジ孔２０ｇにそれぞれ螺着する。これにより、第１取付金具Ａから突出するよう第２取付金具Ｂを固着することができる。
【００３６】
次に図３６に示すように、縦方向に設けられている断面が矩形のたて柱５７ａの外表面に第２取付金具Ｂの上側板２３を当接させ、たて柱５７ａの反対側の外表面に表裏を逆に配置した第３取付金具Ｃの平板部３０を当接させる。そして、第３取付金具Ｃの孔部３０ｂおよび異形孔３０ａに２本の長ボルト４３をそれぞれ挿通して、第２取付金具Ｂの上側板２３に形成されている２つのネジ孔２３ａにそれぞれ長ボルト４３を螺着する。これにより、断面が矩形のたて柱５７ａが第２取付金具Ｂと第３取付金具Ｃとにより挟持されて、垂直偏波受信時の平面アンテナ１を断面が円形で長さが短いたて柱５７ａに設置することができるようになる。
この場合、平面アンテナ１の背面と設置されるたて柱５７ａとの間隔が第２取付金具Ｂの高さ分に相当する広い間隔とされることから、壁部５７の厚さが厚くても笠木５７ｂの幅が広くてもこれらが邪魔になることがなく、たて柱５７ａに平面アンテナ１を設置することができるようになる。また、第２取付金具Ｂの平板部２０と上側板２３との境界に応力が集中するが、この境界には上記した溶接部２５が設けられていることから、第２取付金具Ｂの平板部２０と上側板２３との境界に応力が集中しても、十分耐えることができる。
【００３７】
ところで、ベランダのたて柱が断面円形とされている場合がある。このような断面円形のたて柱に第１取付金具Ａ、第２取付金具Ｂおよび第３取付金具Ｃからなる本発明のアンテナ設置金具を用いて平面アンテナ１を設置する構成を図３７に示す。なお、なお、ベランダにおいては壁部の上から縦方向に短いたて柱５６ａが複数本突出して設けられ、複数本の断面円形のたて柱５６ａの上部が横方向に延伸する幅が広くされて断面が半円形の笠木５６ｂの下面に固着されている。
図３７においては平面アンテナ１は省略して示しているが、水平偏波受信時においては平面アンテナ１が縦長に配置され、垂直偏波受信時においては平面アンテナ１が横長に配置される。図示しない平面アンテナ１の背面に第１取付金具Ａが固着されており、図３３あるいは図３５に示す構成により第１取付金具Ａに第２取付金具Ｂが固着されている。次いで、図３７に示すように縦方向に設けられている断面が円形のたて柱５６ａの外表面に第２取付金具Ｂの上側板２３を当接させ、たて柱５６ａの反対側の外表面に第３取付金具Ｃの上側板３１および下側板３２に形成されている三角溝３３が当接するよう第３取付金具Ｃを配置する。そして、第３取付金具Ｃの孔部３０ｂおよび異形孔３０ａに２本の長ボルト４３をそれぞれ挿通して、第２取付金具Ｂの上側板２３に形成されている２つのネジ孔２３ａにそれぞれ長ボルト４３を螺着する。これにより、断面が円形のたて柱５６ａが第２取付金具Ｂと第３取付金具Ｃとにより挟持されて、平面アンテナ１を断面が円形の長さが短いたて柱５６ａに設置することができるようになる。
この場合、平面アンテナ１の背面と設置されるたて柱５６ａとの間隔が第２取付金具Ｂの高さ分に相当する広い間隔とされることから、壁部の厚さが厚くても笠木５６ｂの幅が広くてもこれらが邪魔になることがなく、たて柱５６ａに平面アンテナ１を設置することができるようになる。また、第２取付金具Ｂの平板部２０と上側板２３との境界に応力が集中するが、この境界には上記した溶接部２５が設けられていることから、第２取付金具Ｂの平板部２０と上側板２３との境界に応力が集中しても、十分耐えることができる。
【００３８】
上記した本発明にかかるアンテナ設置金具において異形孔３０ａが第３取付金具Ｃに形成されているが、この異形孔３０ａにおける径の大きい孔の径は長ボルト４３の頭部の外径より大きくされ、異形孔３０ａにおける径の小さい孔の径は長ボルト４３のネジ部の外径より大きくされている。このため、第２取付金具Ｂのネジ孔２０ｄあるいはネジ孔２３ａに螺合した状態とした長ボルト４３を頭部から第３取付金具Ｃの異形孔３０ａに挿通して、異形孔３０ａの径の小さい部位に長ボルト４３を締着することができるようになる。これにより、長ボルト４３を予め第２取付金具Ｂに螺合しておくことができることから、平面アンテナ１の設置時に長ボルト４３を落下させる恐れを防止することができる。また、第２取付金具Ｂにも異形孔２０ａ，２０ｂ，２０ｃが形成されているが、これらの異形孔２０ａ，２０ｂ，２０ｃにおける径の大きい孔の径は木ネジ５１の頭部の外径より大きくされ、異形孔２０ａ，２０ｂ，２０ｃにおける径の小さい孔の径は木ネジ５１のネジ部の外径より大きくされている。このため、第２取付金具Ｂの異形孔２０ａ，２０ｂ，２０ｃに木ネジ５１を挿通してから木ネジ５１を壁面５０に取り付けることなく、予め木ネジ５１を壁面５０に所定の間隔で螺合しておき、螺合した木ネジ５１を頭部から第２取付金具Ｂの異形孔２０ａ，２０ｂ，２０ｃに挿通して、異形孔２０ａ，２０ｂ，２０ｃの径の小さい部位に木ネジ５１を締着することができるようになる。これにより、平面アンテナ１を容易に壁面５０に設置することができるようになる。
【産業上の利用可能性】
【００３９】
以上説明した本発明にかかるアンテナ設置金具を使用して設置する地上デジタル放送対応アンテナは、電力半値幅が約８０°位と広く指向特性がブロードとされていることから、精密に地上デジタル放送対応アンテナを送信アンテナ方向に向ける必要がない。このことから、概略送信アンテナ方向に地上デジタル放送対応アンテナを向けることができるユーザーが希望するマスト，角柱，壁，ベランダに、本発明にかかるアンテナ設置金具を使用して地上デジタル放送対応アンテナを設置することで、地上デジタル放送を受信することができるようになる。
また、以上説明した本発明にかかるアンテナ設置金具において、第１取付金具Ａ、第２取付金具Ｂおよび第３取付金具Ｃの上記した寸法は一例であって、これに限るものではなく設置するアンテナの大きさに応じた寸法とすることができる。上記第１取付金具Ａ、第２取付金具Ｂおよび第３取付金具Ｃは、所定の厚さの鉄板を加工すると共に全体にメッキ加工を施して作成されるが、金属材は鉄材に限ることはなく所定の強度を有する金属材であればよい。
さらに、上記の説明ではアンテナは地上デジタル放送対応アンテナとしたが、これに限るものではなく平板状のアンテナとされていれば他の周波数帯域対応アンテナであっても良い。
さらにまた、断面形状が◇型のマストや格子部あるいは笠木にも本発明にかかるアンテナ設置金具によりアンテナを設置することができる。この場合のアンテナ設置の構成は、断面形状が円形の丸マストや格子部あるいは笠木と同様の設置の構成とすればよく、第２取付金具Ｂおよび第３取付金具Ｃに形成されている三角溝に◇の頂部が当接されるようにして固着することが好適とされる。
さらにまた、本発明にかかるアンテナ設置金具を用いてアンテナを設置する際に、ベランダの笠木やたて柱あるいは格子部を傷つけないようにするために、第２取付金具Ｂおよび第３取付金具で挟持される部位をゴムシートで巻くようにしてもよい。
さらにまた、第２取付金具Ｂに形成されているネジ孔は、ナットを内側に溶着することにより形成したり、あるいは、バーリング加工した孔にネジを切ることにより形成することができる。
【符号の説明】
【００４０】
１  平面アンテナ、１ａ  アンテナケース、１ｂ  出力端子、１ｃ  ネジ孔、１０  取付金具、１０  平板部、１０ａ  孔部、１１  側板、１２  上側板、１２ａ  孔部、１３  折曲部、１３ａ  差し込み用爪、２０  平板部、２０ａ  異形孔、２０ｂ  異形孔、２０ｃ  異形孔、２０ｄ  ネジ孔、２０ｅ  挿通孔、２０ｆ  孔部、２０ｇ  ネジ孔、２１  三角溝、２２  側板、２３  上側板、２３ａ  ネジ孔、２４  下側板、２４ａ  孔部、２４ｂ  矩形孔、２５  溶接部、３０  平板部、３０ａ  異形孔、３０ｂ  孔部、３１  上側板、３２  下側板、３３  三角溝、４０  取付ネジ、４１  短ボルト、４２  丸マスト、４３  長ボルト、４４  角マスト、４５ａ  格子部、４５ｂ  笠木、４６ａ  格子部、４６ｂ  笠木、４７ａ  格子部、４７ｂ  笠木、４８ａ  格子部、４８ｂ  笠木、４９ａ  格子部、４９ｂ  笠木、５０  壁面、５１  木ネジ、５２  木ネジ、５５  壁部、５５ａ  たて柱、５５ｂ  笠木、５６ａ  たて柱、５６ｂ  笠木、５７  壁部、５７ａ  たて柱、５７ｂ  笠木、Ａ  第１取付金具、Ｂ  第２取付金具、Ｃ  第３取付金具
【図１】
2012178802.tif 000003
【図２】
2012178802.tif 000004
【図３】
2012178802.tif 000005
【図４】
2012178802.tif 000006
【図５】
2012178802.tif 000007
【図６】
2012178802.tif 000008
【図７】
2012178802.tif 000009
【図８】
2012178802.tif 000010
【図９】
2012178802.tif 000011
【図１０】
2012178802.tif 000012
【図１１】
2012178802.tif 000013
【図１２】
2012178802.tif 000014
【図１３】
2012178802.tif 000015
【図１４】
2012178802.tif 000016
【図１５】
2012178802.tif 000017
【図１６】
2012178802.tif 000018
【図１７】
2012178802.tif 000019
【図１８】
2012178802.tif 000020
【図１９】
2012178802.tif 000021
【図２０】
2012178802.tif 000022
【図２１】
2012178802.tif 000023
【図２２】
2012178802.tif 000024
【図２３】
2012178802.tif 000025
【図２４】
2012178802.tif 000026
【図２５】
2012178802.tif 000027
【図２６】
2012178802.tif 000028
【図２７】
2012178802.tif 000029
【図２８】
2012178802.tif 000030
【図２９】
2012178802.tif 000031
【図３０】
2012178802.tif 000032
【図３１】
2012178802.tif 000033
【図３２】
2012178802.tif 000034
【図３３】
2012178802.tif 000035
【図３４】
2012178802.tif 000036
【図３５】
2012178802.tif 000037
【図３６】
2012178802.tif 000038
【図３７】
2012178802.tif 000039